(57)【要約】【課題】カーテンの厚さやサイズが異なる場合やカーテンのたたみ代が予想に反して大きい又は小さい場合であっても、長さを自在に調節することができるタッセルを提供する。【解決手段】タッセル１は、カーテン１００を束ねるタッセル１であって、紐状に延びるタッセル本体部１０と、タッセル本体部１０の少なくとも一端側に形成された輪を形成する環状部２０と、環状部２０に接続するタッセル本体部１０の長さを調節可能にする調節部３０と、を備える。タッセル本体部１０、環状部２０及び調節部３０は、１本の紐状部材から形成されている。調節部３０は、タッセル本体部１０に巻き付いて、タッセル本体部１０を摺動可能に内部に挟んでいる。調節部３０は、環状部２０を介してタッセル本体部１０に接続している。【選択図】図１
2019201719.tif 000002
【特許請求の範囲】
【請求項１】
カーテンを束ねるタッセルであって、
紐状に延びるタッセル本体部と、
前記タッセル本体部の少なくとも一端側に形成された輪を形成する環状部と、
前記環状部に接続する前記タッセル本体部の長さを調節可能にする調節部と、を備え、
前記タッセル本体部、前記環状部及び前記調節部は、１本の紐状部材から形成されており、
前記調節部は、前記タッセル本体部に巻き付いて、前記タッセル本体部を摺動可能に内部に挟んでおり、
前記調節部は、前記環状部を介して前記タッセル本体部に接続していることを特徴とするタッセル。
【請求項２】
前記紐状部材の端側の部分が前記環状部を形成して、前記端側の部分の端部が前記調節部を形成することを特徴とする請求項１記載のタッセル。
【請求項３】
前記調節部は、前記巻き付けられた前記紐状部材の部分において互いに隣接する前記紐状部材の部分が固定されて形成されていることを特徴とする請求項１又は２記載のタッセル。
【請求項４】
前記環状部は、前記タッセル本体部の両端側に形成されていることを特徴とする請求項１乃至３のいずれか１項記載のタッセル。
【発明の詳細な説明】
【技術分野】
【０００１】
本発明は、タッセルに関する。
【背景技術】
【０００２】
従来から、カーテンを束ねるための種々のタッセルが広く知られている。この種のタッセルとして、例えば、環状部がタッセルの両端部に設けられて房掛に掛けられるようになっており、タッセルの上縁部又は下縁部に弾性を有する線状部材を取り付けたタッセルが開示されている（例えば、特許文献１参照）。この種のタッセルは、タッセルの中央部分に折り目がつかずカーテンを束ねた状態で自然な丸みを帯びた外観を発現するようになっている。
【先行技術文献】
【特許文献】
【０００３】
【特許文献１】特開２０１４−０３６８１０号公報
【発明の概要】
【発明が解決しようとする課題】
【０００４】
このような従来のタッセルは、タッセルの長さが一定であるため、カーテンの厚さやサイズによって購入者の好むタッセルを選択することができなかった。また、購入したカーテンをタッセルで束ねたときに購入者の予想に反してカーテンのたたみ代が大きい又は小さい場合であっても、購入者の好むタッセルのたるみ具合に調節することができなかった。このように、従来のタッセルに対しては、カーテンの厚さやサイズが異なる場合やカーテンのたたみ代が予想に反して大きい又は小さい場合であっても、長さを自在に調節することができる構造が求められていた。
【０００５】
本発明は、上述の課題に鑑みてなされたものであり、その目的は、カーテンの厚さやサイズが異なる場合やカーテンのたたみ代が予想に反して大きい又は小さい場合であっても、長さを自在に調節することができるタッセルを提供することにある。
【課題を解決するための手段】
【０００６】
本発明の一態様に係るタッセルは、カーテンを束ねるタッセルであって、紐状に延びるタッセル本体部と、前記タッセル本体部の少なくとも一端側に形成された輪を形成する環状部と、前記環状部に接続する前記タッセル本体部の長さを調節可能にする調節部と、を備え、前記タッセル本体部、前記環状部及び前記調節部は、１本の紐状部材から形成されており、前記調節部は、前記タッセル本体部に巻き付いて、前記タッセル本体部を摺動可能に内部に挟んでおり、前記調節部は、前記環状部を介して前記タッセル本体部に接続していることを特徴とする。
【０００７】
本発明の一態様に係るタッセルにおいて、前記紐状部材の端側の部分が前記環状部を形成して、前記端側の部分の端部が前記調節部を形成する。
【０００８】
本発明の一態様に係るタッセルにおいて、前記調節部は、前記巻き付けられた前記紐状部材の部分において互いに隣接する前記紐状部材の部分が固定されて形成されている。
【０００９】
本発明の一態様に係るタッセルにおいて、前記環状部は、前記タッセル本体部の両端側に形成されている。
【発明の効果】
【００１０】
本発明に係るタッセルによれば、カーテンの厚さやサイズが異なる場合やカーテンのたたみ代が予想に反して大きい又は小さい場合であっても、長さを自在に調節することができる。
【図面の簡単な説明】
【００１１】
【図１】本発明の実施の形態に係るタッセルを概略的に示す正面図である。
【図２】本発明の実施の形態に係るタッセルを概略的に示す背面図である。
【図３】本発明の実施の形態に係るタッセルを概略的に示す側面図である。
【図４】本発明の実施の形態に係るタッセルを概略的に示す平面図である。
【図５】本発明の実施の形態に係るタッセルを概略的に示す底面図である。
【図６】本発明の実施の形態に係るタッセルの環状部及び調節部を概略的に示す拡大正面図である。
【図７】本発明の実施の形態に係るタッセルの環状部及び調節部を概略的に示す拡大背面図である。
【図８】本発明の実施の形態に係るタッセルの調節部の結付方法を説明するための図である。
【図９】本発明の実施の形態に係るタッセルをカーテンで束ねて固定した状態を概略的に示す斜視図である。
【図１０】本発明の実施の形態に係るタッセルの環状部を長くした状態（タッセル本体部を短くした状態）を概略的に示す正面図である。
【図１１】本発明の実施の形態に係るタッセルの環状部を短くした状態（タッセル本体部を長くした状態）を概略的に示す正面図である。
【図１２】本発明の実施の形態に係るタッセルの一端側の環状部を短くした状態（一端側のタッセル本体部を長くした状態）を概略的に示す正面図である。
【図１３】本発明の実施の形態に係るタッセルの変形例を概略的に示す正面図である。
【発明を実施するための形態】
【００１２】
以下、本発明の実施の形態について図面を参照しながら説明する。
【００１３】
図１は、本発明の実施の形態に係るタッセル１を概略的に示す正面図であり、図２は、タッセル１を概略的に示す背面図である。図３は、タッセル１を概略的に示す側面図であり、図４は、タッセル１を概略的に示す平面図である。図５は、タッセル１を概略的に示す底面図である。図６は、タッセル１の環状部２０及び調節部３０を概略的に示す拡大正面図であり、図７は、タッセル１の環状部２０及び調節部３０を概略的に示す拡大背面図である。
【００１４】
本発明の実施の形態に係るタッセル１は、カーテン１００（後述）を束ねるタッセル１であって、紐状に延びるタッセル本体部１０と、タッセル本体部１０の少なくとも一端側に形成された輪を形成する環状部２０と、環状部２０に接続するタッセル本体部１０の長さを調節可能にする調節部３０と、を備える。タッセル本体部１０、環状部２０及び調節部３０は、１本の紐状部材から形成されている。調節部３０は、タッセル本体部１０に巻き付いて、タッセル本体部１０を摺動可能に内部に挟んでいる。調節部３０は、環状部２０を介してタッセル本体部１０に接続している。以下、タッセル１の構成について具体的に説明する。
【００１５】
タッセル１は、例えば２本の繊維材から成る紐状体が捻られることにより形成された１本の紐状部材によって形成されるものである。また、タッセル１を形成する紐状部材は、樹脂等の材料から形成された１本の紐状の部材であってもよい。紐状部材の断面は、円状又は略円状に形成されている。タッセル１では、紐状部材の一部がタッセル本体部１０を形成し、紐状部材の端側の部分が環状部２０を形成し、この端側の部分の端部が調節部３０を形成する。調節部３０は、タッセル本体部１０に巻き付けられた紐状部材の部分において互いに隣接する紐状部材の部分が固定されて形成されている。なお、タッセル１を形成する紐状部材は、２本の紐状体が捻られることにより形成される場合に限られず、３本以上の紐状体が捻られることにより形成されるものであってもよく、１本の紐状体であってもよい。
【００１６】
タッセル１において、タッセル本体部１０は、紐状に延びている。タッセル本体部１０は、中央部において結わえ付けられた結び目部１１が形成されており、結び目部１１からは垂れ飾り部１２が延びている。具体的に、タッセル本体部１０は、一端側に垂れ飾り部１２が設けられている２本の紐状部材について、垂れ飾り部１２が設けられている一端側同士を結わえ付けることにより形成されている。なお、タッセル本体部１０は、２本の紐状部材を結わえ付ける場合に限らず、全体として１本の紐状部材であってもよい。
【００１７】
また、タッセル本体部１０には、一端側及び他端側において夫々輪を形成する環状部２０が形成されている。環状部２０は、一端側においてタッセル本体部１０と接続されており、他端側において調節部３０に接続されており、１本の紐状部材においてタッセル本体部１０と調節部３０との間に構成されている。環状部２０は、調節部３０から延びる紐状部材の部分が折り返されて再び調節部３０に挿入されて形成されており、全体として環状又は略環状に形成されている。
【００１８】
具体的に、環状部２０は、図６及び７に示すように、折り返し部分２１を中央部として、タッセル本体部１０側の紐状部材の部分であるタッセル本体部側部分２２と、調節部３０側の紐状部材の部分である調節部側部分２３とを有している。タッセル本体部側部分２２は、一端側においてタッセル本体部１０と接続されている。調節部側部分２３は、他端側において調節部３０に接続されている。
【００１９】
調節部３０は、タッセル本体部１０と環状部２０との間に位置している。調節部３０は、環状部２０に接続するタッセル本体部１０の長さを調節可能にする。調節部３０において、一端側が環状部２０と接続されており、他端側が調節部３０の内部に挿入されて固定されて構成されている。調節部３０は、タッセル本体部１０に巻き付いて、タッセル本体部１０を摺動可能に内部に挟んでおり、環状部２０を介してタッセル本体部１０に接続している。調節部３０は、タッセル１を形成する１本の紐状部材の一端側及び他端側の部分においてタッセル本体部１０を巻回してタッセル本体部１０を適度に締め付けた状態で形成されており、タッセル本体部１０を内部に挿通している。
【００２０】
調節部３０は、巻き付けられた紐状部材の部分において互いに隣接する紐状部材の部分が固定されて形成されている。具体的に、調節部３０は、図６及び７に示すように、調節部３０の内部において背面側に延びる紐状部材の部分である背面側部分３１と、調節部３０におけるタッセル本体部１０の中央部側に巻回されている紐状部材の部分である中央部側部分３２と、調節部３０の中側に巻回されている紐状部材の部分である中側部分３３と、調節部３０におけるタッセル本体部１０の端部側に巻回されている紐状部材の部分である端部側部分３４とを有している。背面側部分３１は、一端側において環状部２０と接続されており、タッセル本体部１０の背面側を通って他端側において中央部側部分３２と接続されている。
【００２１】
中央部側部分３２は、一端側において背面側部分３１と接続されており、調節部３０におけるタッセル本体部１０の中央部側においてタッセル本体部１０を巻回して他端側において中側部分３３と接続されている。中側部分３３は、一端側において中央部側部分３２と接続されており、調節部３０の中側においてタッセル本体部１０を巻回して他端側において端部側部分３４と接続されている。
【００２２】
端部側部分３４は、一端側において中側部分３３と接続されており、調節部３０におけるタッセル本体部１０の端部側においてタッセル本体部１０を巻回して他端側において調節部３０の内部に挿入されて背面側部分３１（図７）の背面側に糸等により形成される固定部材３５により固定されている。また、中央部側部分３２、中側部分３３及び端部側部分３４は、固定部材３５により夫々固定されている。
【００２３】
また、タッセル本体部１０は、調節部３０の内部に挿通されており、調節部３０の内部を通って環状部２０側又は中央部側に摺動可能となっている。具体的に、環状部２０側に摺動されて調節部３０よりも一端側又は他端側に移動されたタッセル本体部１０は、環状部２０のタッセル本体部側部分２２の一部となるようになっている。また、中央部側に摺動されて調節部３０よりも中央部側に移動された環状部２０のタッセル本体部側部分２２は、タッセル本体部１０の一部となるようになっている。なお、タッセル本体部１０は、調節部３０により適度に締め付けられているため、所定以上の荷重（カーテン１００（後述）を束ねるのに必要な保持力を超える荷重）によりタッセル本体部１０が中央部側に引っ張られるか又はタッセル本体部側部分２２が一端側又は他端側に引っ張られる場合を除いて、調節部３０により固定されている。
【００２４】
続いて、タッセル１の調節部３０を結わえ付ける結付方法について説明する。図８は、本発明の実施の形態に係るタッセル１の調節部３０の結付方法を説明するための図である。まず、図８（ａ）に示すように、タッセル本体部１０の一端側及び他端側の紐状部材の部分を所定の位置で折り返して環状部２０が形成される。その後、図８（ｂ）に示すように、環状部２０の一端側の紐状部材の部分をタッセル本体部１０の背面側を通してタッセル本体部１０の中央部側からタッセル本体部１０に巻回されて調節部３０が形成される。
【００２５】
その後、図８（ｃ）に示すように、調節部３０の一端側の紐状部材の部分が調節部３０の内部に挿入されて背面側部分３１（図７）の背面側に固定部材３５により固定されると共に、調節部３０の中央部側部分３２、中側部分３３及び端部側部分３４が固定部材３５により固定される。このようにして、タッセル１では、タッセル本体部１０の一端側及び他端側の紐状部材の部分を結わえ付けることで、タッセル本体部１０の一端側及び他端側に環状部２０及び調節部３０を形成することができる。
【００２６】
続いて、タッセル１をカーテン１００で束ねて固定した状態について説明する。図９は、本発明の実施の形態に係るタッセル１をカーテン１００で束ねて固定した状態を概略的に示す斜視図である。この場合、例えば、まず、窓の横側の壁面に設けられている房掛（図示せず）にタッセル１の一端側の環状部２０が引っ掛けられる。その後、窓の横側等に束ねられたカーテン１００をタッセル１のタッセル本体部１０が取り囲む。そして、房掛（図示せず）にタッセル１の他端側の環状部２０が引っ掛けられる。このようにして、タッセル１では、カーテン１００を束ねた状態で固定することができる。
【００２７】
このように、本発明の実施の形態に係るタッセル１では、調節部３０がタッセル本体部１０に巻き付いて、タッセル本体部１０を摺動可能に内部に挟んでおり、環状部２０を介してタッセル本体部１０に接続している。このため、タッセル１の長さを自在に調節することができ、カーテンの厚さやサイズが異なる場合であっても、購入者の好むタッセル１を選択することができる。また、購入したカーテンをタッセル１で束ねたときに購入者の予想に反してカーテンのたたみ代が大きい又は小さい場合であっても、購入者の好むタッセル１のたるみ具合に調節することができる。
【００２８】
図１０は、本発明の実施の形態に係るタッセル１の環状部２０を長くした状態（タッセル本体部１０を短くした状態）を概略的に示す正面図である。この場合、タッセル１では、所定以上の荷重により環状部２０のタッセル本体部側部分２２を夫々一端側又は他端側に引っ張ることで、環状部２０が長くなっており、タッセル本体部１０が短くなっている。環状部２０は折り返し部分２１を中央部として折り返されて紐状部材の部分が二重となっているため、これにより、タッセル１を全体として短く調節することができる。
【００２９】
図１１は、タッセル１の環状部２０を短くした状態（タッセル本体部１０を長くした状態）を概略的に示す正面図である。この場合、タッセル１では、所定以上の荷重によりタッセル本体部１０を中央部側に引っ張ることで、環状部２０が短くなっており、タッセル本体部１０が長くなっている。タッセル本体部１０は１本の紐状部材であるため、これにより、タッセル１を全体として長く調節することができる。
【００３０】
図１２は、タッセル１の一端側の環状部２０を短くした状態（一端側のタッセル本体部１０を長くした状態）を概略的に示す正面図である。この場合、タッセル１では、所定以上の荷重により環状部２０の一端側のタッセル本体部側部分２２を一端側に引っ張ることで、環状部２０が長くなっており、タッセル本体部１０が短くなっている。環状部２０は折り返し部分２１を中央部として折り返されて紐状部材の部分が二重となっているため、これにより、タッセル１を全体として短く調節することができる。
【００３１】
なお、タッセル１では、上述の場合に限らず、所定以上の荷重により環状部２０のタッセル本体部側部分２２を夫々一端側又は他端側に引っ張る、又は所定以上の荷重によりタッセル本体部１０を中央部側に引っ張ることで、環状部２０及びタッセル本体部１０の長さを調節することができ、これにより、タッセル１の長さを全体として調節することができる。
【００３２】
このようにして、本発明の実施の形態に係るタッセル１によれば、カーテン１００の厚さやサイズが異なる場合やカーテン１００のたたみ代が大きい又は小さい場合であっても、長さを自在に調節することができる。
【００３３】
以上、本発明の実施の形態について説明したが、本発明は上記実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００３４】
例えば、本発明の実施の形態に係るタッセル１においては、中央部において結わえ付けられた結び目部１１が形成されており、結び目部１１からは垂れ飾り部１２が延びている場合を一例に本発明の実施の形態について説明したが、本発明はこれに限らず、図１３に示すように、垂れ飾り部１２を有していなくてもよい。
【００３５】
また、本発明の実施の形態に係るタッセル１においては、一端側に垂れ飾り部１２が設けられている２本の紐状部材について、垂れ飾り部１２が設けられている一端側同士を結わえ付けることにより形成されている場合を一例に本発明の実施の形態について説明したが、本発明はこれに限らず、図１３に示すように、全体として１本の紐状部材により形成されていてもよい。
【００３６】
また、本発明の実施の形態に係るタッセル１においては、タッセル本体部１０の一端側及び他端側において夫々環状部２０及び調節部３０が形成されている場合を一例に本発明の実施の形態について説明したが、本発明はこれに限らず、タッセル本体部１０の少なくとも一端側に環状部２０及び調節部３０が形成されていればよい。
【００３７】
また、本発明の実施の形態に係るタッセル１においては、調節部３０がタッセル本体部１０の一端側及び他端側においてタッセル本体部１０を巻回してタッセル本体部１０を適度に締め付けた状態で形成されている場合を一例に本発明の実施の形態について説明したが、本発明はこれに限らず、調節部３０は、例えば、ハングマンズノットや他の結び目によって形成されていてもよい。また、調節部３０を、タッセル本体部１０及び環状部２０を形成する１本の紐状部材によって形成せず、タッセル本体部１０及び環状部２０を形成する１本の紐状部材の端部に設けられる、調節部３０と同様にこの紐状部材を摺動可能に挟む例えば筒状の別部品（コードロックタイプ、クリップタイプ等）によって形成し、環状部２０の大きさの調整（タッセル全体の長さ調整）ができるようにしてもよい。
【符号の説明】
【００３８】
１…タッセル、１０…タッセル本体部、１１…結び目部、１２…垂れ飾り部、２０…環状部、２１…折り返し部分、２２…タッセル本体部側部分、２３…調節部側部分、３０…調節部、３１…背面側部分、３２…中央部側部分、３３…中側部分、３４…端部側部分、３５…固定部材、１００…カーテン
【図１】
2019201719.tif 000003
【図２】
2019201719.tif 000004
【図３】
2019201719.tif 000005
【図４】
2019201719.tif 000006
【図５】
2019201719.tif 000007
【図６】
2019201719.tif 000008
【図７】
2019201719.tif 000009
【図８】
2019201719.tif 000010
【図９】
2019201719.tif 000011
【図１０】
2019201719.tif 000012
【図１１】
2019201719.tif 000013
【図１２】
2019201719.tif 000014
【図１３】
2019201719.tif 000015